(57)【特許請求の範囲】
【請求項１】
基部から突出部を突出させ、この突出部に揺振軸を設けると共に、揺振軸の先端に揺振軸を中心として回転する回転体を設け、この回転体に永久磁石を固定したことを特徴とする鳥おどし装置。
【請求項２】
基部を固定自在に形成したことを特徴とする請求項１記載の鳥おどし装置。
【請求項３】
揺振軸を、突出部に対して直交する方向に設けたことを特徴とする請求項１または２記載の鳥おどし装置。
【請求項４】
揺振軸を突出部の両側に突設させ、かつ両先端各々に、回転体を回転自在に設けたことを特徴とする請求項１、２または３記載の鳥おどし装置。
【請求項５】
回転体を、２つの風受けを連結部で連結して形成し、この連結部で揺振軸に軸支したことを特徴とする請求項１、２、３または４記載の鳥おどし装置。
【請求項６】
連結部に永久磁石を固定したことを特徴とする請求項５記載の鳥おどし装置。
【請求項７】
永久磁石を２個１組とし、同一の極が背中合わせになるように固定したことを特徴とする請求項１、２、３、４、５または６記載の鳥おどし装置。
【発明の詳細な説明】
【０００１】
【発明の属する技術分野】
この発明は鳥おどし装置、更に詳しくは永久磁石の磁場の変化によって、鳩、雀、烏等の鳥類をおどす鳥おどし装置であって、特に磁場の変化が予期できない鳥おどし装置に関するものである。
【０００２】
【従来の技術】
従来から、種々の鳥おどし装置が提供されていた。
このような鳥おどし装置としては、代表的な物として分類すると、「視覚効果」を利用した物、「聴覚効果」を利用した物、「嗅覚効果」を利用した物等が提供されていた。
【０００３】
ただこのような鳥おどし装置は、いずれも「なれ」によって、鳥おどしの効果が徐々に薄れていくものであった。
そこで最近、永久磁石を利用した鳥おどし装置が提案されている。
この鳥おどし装置は、鳥類には生物磁石が存在しており、この生物磁石で飛翔方向等を選択しているといわれている。そして、この鳥おどし装置は、永久磁石を用いて磁場を乱すことによって、鳥が近寄ることを防止するものである。このように、磁場が乱れている場所に鳥が近づかないのは、このような場所では、自己が保有している生物磁石が乱されることが原因であると推定されている。
【０００４】
このような永久磁石を利用した鳥おどし装置としては、例えば風車の羽根に永久磁石を固定し、風車の回転によって磁場を乱すものがあった。
【０００５】
【発明が解決しようとする課題】
ただこのような、従来の永久磁石を利用した鳥おどし装置は、一軸の回転運動だけであることから、磁場の乱され方に法則が生じ、やがてその乱された磁場に鳥類がなれてしまうことが想定されている。
そこで本発明のうち請求項１記載の発明は、永久磁石を、揺振軸に設けた回転体に固定することによって、永久磁石が回転運動と共に揺振運動も行なうようにして、磁場の変化が予期できない鳥おどし装置を提供することを目的とするものである。
【０００６】
請求項２記載の発明は、請求項１に記載の発明の目的に加えて、所望の場所に容易に固定できる鳥おどし装置を提供することを目的としたものである。
また請求項３記載の発明は、請求項１または２に記載の発明の目的に加えて、揺振軸を突出部に対して直交する方向に設けて、揺振軸を突出部から突出部の突出方向に設けた場合に比べて長さを短くできる鳥おどし装置を提供することを目的としたものである。
【０００７】
また請求項４記載の発明は、請求項１、２または３に記載の発明の目的に加えて、揺振軸を突出部の両側に突設させ、かつ両先端各々に、回転体を回転自在に設け、両回転体で全体のバランスが取れた鳥おどし装置を提供することを目的としたものである。
請求項５記載の発明は、請求項１、２、３または４記載の発明の目的に加えて、回転体を、２つの風受けを連結部で連結して形成し、この連結部で揺振軸に軸支し、回転体の部分もバランスが取れた鳥おどし装置を提供することを目的としたものである。
【０００８】
更に請求項６記載の発明は、請求項５記載の発明の目的に加えて、連結部に永久磁石を固定し、揺振及び回転し易く、かつ永久磁石の固定も容易に行なえる鳥おどし装置を提供することを目的としたものである。
請求項７記載の発明は、請求項１、２、３、４、５または６記載の発明の目的に加えて、永久磁石を２個１組とし、同一の極が背中合わせになるように固定することによって、広い磁場を確保した鳥おどし装置を提供することを目的としたものである。
【０００９】
【課題を解決するための手段】
課題を解決するための手段を説明するにあたって、参考のために、以下図面の番号を付して説明する。
前述した目的を達成するために、本発明のうちで請求項１記載の発明は、基部１０から突出部２０を突出させ、この突出部２０に揺振軸３０を設けると共に、揺振軸３０の先端に揺振軸３０を中心として回転する回転体４０を設け、この回転体４０に永久磁石５０を固定したことを特徴とする。
【００１０】
このように形成すると、永久磁石５０が揺振すると共に回転するので、ある瞬間における磁場の変化が予想できないこととなる。したがって、鳥が近寄ることを有効に防止できるものである。
またここで、「揺振軸」とは、風等によって先端の回転体４０が揺れるような軸をいい、例えばバネ材で形成したワイヤー、ステンレスワイヤー等によって形成することができる。またこの揺振軸３０は、全方向に自由に揺振できる断面円形のワイヤーの他に、揺振方向が制限されるものの異形断面のワイヤーを用いることもできる。
【００１１】
ここで、請求項１記載の発明では、基部１０を建物として、建物から直接突出部２０を突出させてもよいが、請求項２記載の発明のように、基部１０を固定自在に形成することもできる。
このようにすると、基部１０を建物等に固定することとなる。この場合、例えば基部１０をベランダの手すり等に固定することも可能である。
【００１２】
このような請求項１または２記載の発明では、突出部２０に設けた揺振軸３０の方向に限定がないので、この揺振軸３０を突出部２０から突出部２０の突出方向に設けることもできる。ただ請求項３記載の発明のように、揺振軸３０を、突出部２０に対して直交する方向に設けることができる。
このようにすると、全体の高さを低くすることができるので、建物等への固定後の安定性が向上する。
【００１３】
また請求項１、２または３記載の発明では、揺振軸３０の数についての限定がない。したがって、一方向に１本だけ設けることもできるし、他方向に複数本設けることもできる。ただここで、請求項４記載の発明のように、揺振軸３０を突出部２０の両側に突設させ、かつ両先端各々に、回転体４０を回転自在に設けることもできる。ここでは、２本の揺振軸３０を各々突出部２０の両側に突出させることもできるし、１本の揺振軸３０を突出部２０を貫通するようにして設けることもできる。
【００１４】
このようにすると、揺振軸３０各々の先端に回転体４０が位置するので、両回転体４０で全体のバランスが取れ、風が吹いても安定した使用が行なえるものである。
請求項１、２、３または４記載の発明では、回転体４０に限定がないので、回転体４０は風車を含めて回転自在なものを含んでいる。したがって、請求項５記載の発明のように、回転体４０を、２つの風受け４１を連結部４２で連結して形成し、この連結部４２で揺振軸３０に軸支することもできる。
【００１５】
このように形成すると、回転体４０の部分もバランスが取れ、風が吹いても安定した使用が行なえるものである。
またこの請求項５記載の発明では、回転体４０中のいずれの場所に永久磁石５０を固定することも可能であるが、請求項６記載の発明のように、連結部４２に永久磁石５０を固定することもできる。
【００１６】
このように形成すると、永久磁石５０が回転中心である揺振軸３０の付近にあるため、揺振及び回転が行ない易いだけでなく、永久磁石５０の固定も容易に行なえるものである。
請求項１、２、３、４、５または６記載の発明では、永久磁石５０の個数及び形状、取り付け方法についての限定がない。そこで、所定の場所に永久磁石５０を固定すればたりることとなるが、請求項７記載の発明のように、永久磁石５０を２個１組とし、同一の極が背中合わせになるように固定することもできる。
【００１７】
このようにすると、同一の極が背中合わせになるように固定されるので、両面に磁場が発生すると共に、各々の面に１８０度の方向の磁場が発生することとなるので、広い磁場を確保することが可能となる。
【００１８】
【発明の実施の形態】
以下、本発明の実施の形態を、図示例と共に説明する。
図１は本発明の一の実施の形態を示した斜視図であり、図２は回転体４０付近の断面図である。
両図において、この鳥おどし装置は、基部１０から突出部２０を突出させ、この突出部２０に揺振軸３０を設けると共に、揺振軸３０の先端に揺振軸３０を中心として回転する回転体４０を設け、この回転体４０に永久磁石５０を固定したものである。
【００１９】
ここで基部１０は、四角板状の基板１１に、その周縁から対向するように若干の長さの固定溝１２が４本形成されていると共に、固定溝１２の内方向先端に固定隆起部１３が形成され、基板１１と固定隆起部１３の内面との間に固定孔１４が形成されている。
そして、この基部１０は、固定孔１４に針金等を通し、ベランダの手すりあるいは軒等に固定可能となっている。またここで、固定溝１２を設けたことにより、ベランダ等の巾が狭い場合であっても固定隆起部１３間の距離以上の巾があれば、確実に固定できるものである。
【００２０】
ただこの実施の形態中の基部１０は基板１１をベースとして形成したが、基部１０を建物自体としてとらえ、建物から直接突出部２０を突出させることもできる。
また必要に応じて、基板１１に穴を開けておき、この孔を介してビス等で建物に固定することも出来る。
【００２１】
突出部２０は、基部１０中央から、基部１０と一体の材料によって突出形成されている。またこの突出部２０先端には、揺振軸３０を固定するための固定部２１が設けられている。更にこの実施の形態中の突出部２０は、十字状の断面に形成され、強度の向上を図っている。
なお、基部１０を建物としてとらえた場合には、突出部２０の反固定部２１側に建物に対して固定できる手段を設けることが必要とされる。
【００２２】
揺振軸３０は、断面円形のステンレスワイヤーによって形成されている。したがって、どのような方向にも揺振が可能なようになっている。
なおこの揺振軸３０の材質は、ステンレスワイヤーに限定されるものでなく、バネ材で形成したワイヤー等のように、他の素材であっても、風等によって回転体４０が揺れるものであるならば足りる。更に、断面形状に関しても、揺振方向が制限されるものの異形断面のワイヤーを用いることもできる。
【００２３】
更にこの実施の形態では、１本の揺振軸３０を、中央で突出部２０の固定部２１に固定し、両側を突出部２０の両側に突設させて形成してある。
このようにすると、揺振軸３０の両端に回転体４０が位置するので、両回転体４０の重量で全体のバランスが取れ、風が吹いても安定した使用が行なえるものである。
【００２４】
もちろんこの他にも、２本の揺振軸３０を各々突出部２０の両側に突出させることもできるし、１本の揺振軸３０を突出部２０の一方側のみに突出させたり、あるいは揺振軸３０を突出部２０から突出部２０の突出方向に設けることもできる。
更にこの実施の形態では、両側を突出部２０の両側に突設させた揺振軸３０の両先端に、回転体４０が揺振軸３０から外れないための止め部３１が固定してある。
【００２５】
回転体４０は、図２に示したように、２つの風受け４１を連結部４２で連結して形成し、この連結部４２で揺振軸３０に軸支してある。ここで風受け４１としては半球のカップ状のものが用いられ、同一回転方向に対して両カップの孔の部分が向くように形成されている。したがって、この風受け４１に風が当たると、回転体４０が揺振軸３０を中心として回転するようになっている。
【００２６】
更にこの回転体４０の連結部４２両側には、円形の固定条４３が設けられ、各々の固定条４３の内部には、永久磁石５０が固定されている。またここで永久磁石５０は、同一極が背中合わせになるように固定されているものである。
このように永久磁石５０を固定すると、図２に示したように、両面に磁場が発生すると共に、各々の面に１８０度の方向の磁場が発生することとなるので、広い磁場を確保することが可能となる。
【００２７】
もちろんこの場合にも、永久磁石５０を片面のみに設けたり、永久磁石５０を風受け４１に固定したりすることもできる。更には回転体４０を風車のように形成し、羽根に永久磁石５０を固定することもできる。
次にこの鳥おどし装置の実際の使用を説明する。
まず最初に、基部１０をベランダの手すりあるいは軒等に固定する。ここで、ベランダの手すりに固定すると、図１に示した形態と同様になり、回転体４０の重量によって、揺振軸３０が若干基部１０側にたわんだ状態となっている。逆に基部１０を軒等に固定すると、図１に示した形態とは逆に、突出部２０が下方に突出するので、回転体４０の重量によって、揺振軸３０が若干反基部１０側にたわんだ状態となっている。
【００２８】
このようにして固定した後に、風が吹くと、揺振軸３０に軸支されている回転体４０が回転することによって永久磁石５０によって形成される磁場が乱されるだけでなく、揺振軸３０自体が揺れ、揺振軸３０先端の回転体４０に固定された永久磁石５０によって形成されている磁場が不規則に乱れることとなる。
すなわちこの実施の形態では、回転体４０が回転して磁場が乱れるだけでなく、回転体４０を軸支している揺振軸３０が揺れるので、磁場の乱れが極めて不規則なものとなる。
【００２９】
その結果、鳩、雀、烏等の鳥類が、近づかないこととなる。
これは、鳩、雀、烏等の鳥類が保有している生物磁石が乱されることが原因であると推定されている。
【００３０】
【実施例】
以下、本発明の実施例を説明する。
本発明の効果を確認するために、下記のような実験を行なった。
設置場所：鳩の糞、鳴き声等に悩まされている家庭のベランダの手すり
設置個数：２５軒
設置した鳥おどし装置：図１に示した形状のもの
永久磁石５０：直径１５ｍｍ、厚さ５ｍｍのものを４個
風受け４１の直径：３７ｍｍ
揺振軸３０の材質：ステンレスワイヤー
揺振軸３０の太さ：０．７５ｍｍ
永久磁石５０間の距離：２００ｍｍ
隣接して設置した鳥おどし装置のピッチ：５００ｍｍ
使用状態を観察すると、風が吹く度に回転体４０が回転し、揺振軸３０が揺れている。したがってかなりの磁場の乱れがあるものと思われる。
【００３１】
設置後２ヶ月半経過後のベランダを観察したところ、設置した２５軒のうち２４軒では完全に鳩が来なくなった。
残りの１軒では、通常の鳩は来なくなったものの、通常の鳩に比べて２倍以上の大きさの鳩が１羽だけ依然として来ている。
そこで、この鳥おどし装置によって、通常の鳩に関しては、飛来を完全に阻止できたものと考えられる。
【００３２】
なお、依然飛来を続けている通常の鳩に比べて２倍以上の大きさの鳩は、特異体質の鳩であると考えられる。
更に、雀、烏等の飛来がなくなったことも観察されている。
【００３３】
【発明の効果】
以上説明したように、本発明のうち請求項１記載の発明は、永久磁石を、揺振軸に設けた回転体に固定することによって、永久磁石が回転運動と共に揺振運動も行なうようにして、磁場の変化が予期できないものである。
請求項２記載の発明は、請求項１に記載の発明の効果に加えて、所望の場所に容易に固定できる鳥おどし装置を提供することを目的としたものである。
【００３４】
また請求項３記載の発明は、請求項１または２に記載の発明の効果に加えて、揺振軸を突出部に対して直交する方向に設けて、揺振軸を突出部から突出部の突出方向に設けた場合に比べて長さを短くできるものである。
また請求項４記載の発明は、請求項１、２または３に記載の発明の効果に加えて、揺振軸を突出部の両側に突設させ、かつ両先端各々に、回転体を回転自在に設け、両回転体で全体のバランスが取れたものである。
【００３５】
請求項５記載の発明は、請求項１、２、３または４記載の発明の効果に加えて、回転体を、２つの風受けを連結部で連結して形成し、この連結部で揺振軸に軸支し、回転体の部分もバランスが取れたものである。
更に請求項６記載の発明は、請求項５記載の発明の効果に加えて、連結部に永久磁石を固定し、揺振及び回転し易く、かつ永久磁石の固定も容易に行なえるものである。
【００３６】
請求項７記載の発明は、請求項１、２、３、４、５または６記載の発明の効果に加えて、永久磁石を２個１組とし、同一の極が背中合わせになるように固定することによって、広い磁場を確保したものである。
【図面の簡単な説明】
【図１】本発明の一の実施の形態を示した斜視図である。
【図２】回転体付近の断面図である。
【符号の説明】
１０  基部                            １１  基板
１２  固定溝                          １３  固定隆起部
１４  固定孔
２０  突出部                          ２１  固定部
３０  揺振軸                          ３１  止め部
４０  回転体                          ４１  風受け
４２  連結部                          ４３  固定条
５０  永久磁石
【図１】
0003558414.tif 000002
【図２】
0003558414.tif 000003